(57)【特許請求の範囲】
【請求項１】
楕円形状のビーム断面を有する光ビームを放射する光源を、前記光源が光ビームを放射する方向に凸状の所定の曲率半径の円筒面を有する支持部材によって支持し、
前記支持部材の凸状の円筒面と同一の曲率半径の凹状の円筒面を有する固定部材に対して、前記光源のリファレンス面が光軸に対して垂直となるように、前記固定部材の凹状の円筒面に前記支持部材の凸状の円筒面を当接し、
前記光源から放射された光ビームの輝度中心が光軸に対してθのずれ角を持つ場合に、前記支持部材の凸状の円筒面を前記固定部材の凹状の円筒面に沿って前記ビーム断面における短軸方向に摺動させて、前記支持部材をθ／２だけ回転させることにより、前記光源から放射される光ビームのビーム断面における短軸方向の放射角を調整し、
前記光源から放射される光ビームの輝度中心が光軸に一致する状態で前記支持部材を前記固定部材に固定する、
ことを特徴とする光ヘッド装置の調整方法。
【発明の詳細な説明】
【０００１】
【発明の属する技術分野】
この発明は、記録媒体としての光ディスクから情報を読み出し、光ディスクに情報を記録する光ディスク装置に適用される光ヘッド装置に係り、特に、光ヘッド装置の光源から放射される光ビームの放射角を調整する調整機構及び調整方法に関する。
【０００２】
【従来の技術】
光ディスク装置は、対物レンズとフォトディテクタとを有する光ヘッド装置を含み、記録媒体すなわち光ディスクの記録面に半導体レーザ素子からの光ビームを照射することで光ディスクに記録されている情報に対応する反射光を取り出して情報を読み出す一方で、光ディスクに情報を記録するために利用される。
【０００３】
上述した光ヘッド装置は、光ビームを発生する光源としての半導体レーザ素子と、半導体レーザ素子から放射された光ビームを記録媒体としての光ディスクの記録面に集束させるとともに記録面で反射された反射光ビームを取り出す対物レンズと、対物レンズにより取り出された反射光ビームを検出して光電変換し、光ディスクに記録されている情報に対応する再生信号を出力する複数の光検出器すなわちフォトディテクタと、それぞれの要素の間で光ビームの光路を構成する複数の光学部材等により形成されている。
【０００４】
【発明が解決しようとする課題】
ところで、光源として利用される半導体レーザ素子は、ビーム断面が楕円形状の光ビームを放射する。すなわち、半導体レーザ素子からの光ビームは、ビーム断面において、長軸方向に例えば２５°の放射角をもって放射され、短軸方向に例えば１０°の放射角をもって放射される。
【０００５】
また、半導体レーザ素子は、必ずしも素子のリファレンス面に対して垂直な方向に光ビームを放射できるとは限らない。すなわち、半導体レーザ素子からの光ビームは、ビーム断面において、長軸方向及び短軸方向に例えば±２°の公差をもって出射される。
【０００６】
このため、半導体レーザ素子から出射される光ビームの輝度中心は、光軸に対してずれが生じることがある。
この光軸に対する放射角のずれすなわち輝度中心のわずかなずれは、光源から光ディスクの記録面までの光路が長くなるほど増大される。これにより、光ディスクからの情報を正確に読み出すことが困難となったり、光ディスクに対して情報を正確に記録することが困難となったりする問題が生じる。
【０００７】
そこで、光源から光ディスクの記録面までの光路中に、光軸に対して傾くようにガラス板を配置して光ビームの放射角のずれを補正することが提案されているが、この場合、部品点数が増大してコストの増大を招く問題が生じるとともに、ガラス板を配置するための領域を確保する必要があり、装置の小型化に対して不利である。
【０００８】
この発明は、部品点数を増大することなく光源から放射される光ビームの放射角のずれを補正できるとともに、記録媒体に記録されている情報を正確に再生し、記録媒体に対して情報を正確に記録することが可能な光ヘッド装置及び光ヘッド装置の調整方法を提供することを目的とする。
【０００９】
【課題を解決するための手段】
この発明は、上述した問題点に基づきなされたもので、
この発明の態様に係る光ヘッド装置の光量調整方法は、
楕円形状のビーム断面を有する光ビームを放射する光源を、前記光源が光ビームを放射する方向に凸状の所定の曲率半径の円筒面を有する支持部材によって支持し、
前記支持部材の凸状の円筒面と同一の曲率半径の凹状の円筒面を有する固定部材に対して、前記光源のリファレンス面が光軸に対して垂直となるように、前記固定部材の凹状の円筒面に前記支持部材の凸状の円筒面を当接し、
前記光源から放射された光ビームの輝度中心が光軸に対してθのずれ角を持つ場合に、前記支持部材の凸状の円筒面を前記固定部材の凹状の円筒面に沿って前記ビーム断面における短軸方向に摺動させて、前記支持部材をθ／２だけ回転させることにより、前記光源から放射される光ビームのビーム断面における短軸方向の放射角を調整し、
前記光源から放射される光ビームの輝度中心が光軸に一致する状態で前記支持部材を前記固定部材に固定する、
ことを特徴とする。
【００１８】
【発明の実施の形態】
以下、図面を参照してこの発明の光ヘッド装置に係る実施の形態を詳細に説明する。
図１に示されるように、光ディスク装置１００は、記録媒体としての光ディスクＤの図示しない記録面に平行に、かつ記録面に設けられている図示しないトラックと直交する方向に移動可能なアクチェータ４と、アクチェータ４に向けて所定の波長のレーザビームを送出するともにアクチェータ４から戻されたレーザビームを受光するレーザビーム送出／受光部６と、を含む光ヘッド装置２を有している。
【００１９】
アクチェータ４は、制御部８からの駆動信号に基づいて、光ディスクＤの図示しない記録面の図示しないトラックと直交する方向すなわち光ディスクＤの半径方向に移動される。
【００２０】
レーザビーム送出／受光部６は、制御部８からの駆動信号に基づいて、情報の書き込みすなわち記録時には記録用レーザビームを、情報を読み出すすなわち再生時には再生用レーザビームを、それぞれ出射する。
【００２１】
制御部８は、信号処理部１０を経由して入力される図示しない外部装置からの読み出しあるいは書き込み命令（コマンド）に基づいて、制御部８に所定の制御信号を供給するとともにレーザビーム送出／受光部６により受光され、光電変換された情報信号を復号して、再生信号として、外部装置に出力する。
【００２２】
また、アクチェータ４は、レーザビーム送出／受光部６の後述する光源からの記録用または再生用のレーザビームを光ディスクＤの図示しない記録面の所定の位置に結像させるとともに光ディスクＤの記録面で反射された反射レーザビームＬｒを取り出す集光手段としての対物レンズ１２、対物レンズ１２を光ディスクＤの記録面と直交する方向ならびに記録面に記録されている情報であるピット列からなるトラック（情報を記録可能な光ディスクにおいて情報が記録されていない領域については、案内溝すなわちグルーブ）を横切る方向かつ記録面に沿って移動可能に保持するピックアップ１４、ピックアップ１４を一対のガイドレール１６に沿って光ディスクＤの半径方向に移動可能に支持するキャリッジ１８を有する。
【００２３】
ピックアップ１４は、図２に示すように、キャリッジ１８上の所定位置に載置されたベース１４ａから光ディスクＤの記録面と直交する方向に延出された中心軸１４ｂを回動中心として回動可能に形成された円筒状のレンズホルダ１４ｃを含み、レンズホルダ１４ｃの一端部に設けられているレンズ保持面１４ｄに対物レンズ１２を保持する。なお、ピックアップ１４またはキャリッジ１８のいづれか一方には、レーザビーム送出／受光部６からのレーザビームＬｆを対物レンズ１２に向けて案内するミラー２０が、設けられている。
【００２４】
レンズホルダ１４ｃの外周面の所定位置には、対物レンズ１２（レンズホルダ１４ｃ）を光ディスクＤの記録面と直交する方向、すなわち中心軸１４ｂに沿って移動するための推力を発生するフォーカシングコイル１４ｅと、対物レンズ１２（レンズホルダ１４ｃ）を光ディスクＤの記録面のトラックを横切る方向に移動させるための推力を発生するトラッキングコイル１４ｆが、外周面の曲面に沿って設けられている。
【００２５】
中心軸１４ｂを中心としてレンズホルダ１４ｃの外周面を取り巻く領域には、レンズホルダ１４ｃの外周面の各コイル１４ｅおよび１４ｆに向けて所定方向の磁界を提供する２組の固定磁石１４ｇおよび１４ｈと、それぞれの固定磁石１４ｇ，１４ｈを保持するとともに各磁石と共働して磁気回路を構成するヨーク１４ｉが設けられている。なお、ヨーク１４ｉは、中心軸１４ｂから概ね等しい半径に設定される円周に沿ってあるいはその近傍に、分割してもしくは円環状に配列されている。
【００２６】
レーザビーム送出／受光部６は、図３に示すように、ハウジング６ａ、ハウジング６ａ内の所定の位置に配置され、振動の方向が概ね一方向に揃えられた直線偏光の光ビームを出射する光源３０、ハウジング６ａ内の所定の位置に配置され、光源３０からの光ビームをアクチェータ４に向けて送出するとともに光ディスクＤの記録面で反射されて戻された反射光ビームを光ディスクＤに向かう光ビームから分離する偏光ビームスプリッタ３２、ハウジング６ａ内の所定の位置に配置され、偏光ビームスプリッタ３２とミラー２０との間に配置され、アクチェータ４のミラー２０に向かう光ビームをコリメートするコリメートレンズ３４、ハウジング６ａ内の所定の位置に配置され、コリメートレンズ３４を通った光ビームの偏光の方向を直線偏光から円偏光に変換するリターダ（λ／４板）３６、およびλ／４板３６を通った光ビームのアスペクト比を概ね円形に補正する楕円補正プリズム３８を有している。
【００２７】
また、レーザビーム送出／受光部６は、光ディスクＤの記録面で反射され、アクチェータ４を経由して戻された反射レーザビームＬｒが偏光ビームスプリッタ３２によりミラー２０に向かうレーザビームＬｆから分離された反射レーザビームＬｒをさらに２つのレーザビームに分離するビームスプリッタ（ハーフミラー）４０、ハーフミラー４０により分割された２つのレーザビームのそれぞれを検出して光電変換し、それぞれのレーザビーム光強度に対応する電気信号に変換する光電変換手段としての第１のフォトディテクタ４２および第２のフォトディテクタ４６を有している。
【００２８】
なお、第２のフォトディテクタ４６とハーフミラー４０との間には、ハーフミラー４０で分割されたレーザビームの一方に、フォーカスずれの検出のための所定の光学特性を与えるホログラムプレート（回折素子）４８が配置されている。
【００２９】
光源３０は、例えば波長が６５０ｎｍ（ナノメートル）のレーザビームＬｆを出射する半導体レーザ素子であって、出射したレーザビームＬｆの直線偏光の方向が偏光ビームスプリッタ３２の図示しない偏光面により反射される方向となるように、固定されている。この半導体レーザ素子３０から出射されるレーザビームは、略楕円形のビーム断面形状を有している。すなわち、半導体レーザ素子３０は、ビーム断面において、一方の軸方向のビーム断面長が他方の軸方向より長くなるようなレーザビームを出射する。
【００３０】
偏光ビームスプリッタ３２は、半導体レーザ素子３０により放射されたレーザビームＬｆの直線偏光の方向と直交するよう偏光の方向が設定された図示しない偏光面（ビームスプリット面）を有し、半導体レーザ素子３０からのレーザビームＬｆを９０°折り曲げるとともに、光ディスクＤで反射された反射レーザビームＬｒを通過させる。
【００３１】
λ／４板３６は、偏光ビームスプリッタ３２により反射されたレーザビームＬｆの偏光の方向を直線偏光から円偏光に変換し、また光ディスクＤで反射された反射レーザビームＬｒの偏光の方向を円偏光から、再び直線偏光に変換する。このとき、偏光ビームスプリッタ３２から光ディスクＤに向かうレーザビームＬｆの偏光の方向と光ディスクＤから戻されたＬｒの偏光の方向との間には、λ／４板３６により、９０°の位相差が与えられる。これにより、光ディスクＤにより反射されたＬｒは、今度は、偏光ビームスプリッタ３２の偏光面を通過し、ハーフミラー４０に向けられる。
【００３２】
楕円補正プリズム３８の偏光ビームスプリッタ３２側の面は、後述するＡＰＣ（オートパワーコントロール）に関連して半導体レーザ素子３０から光ディスクＤに向かうレーザビームＬｆの一部を偏光ビームスプリッタ３２に側に戻すために、半導体レーザ素子３０から放射されるレーザビームＬｆの中心と対物レンズ１２の中心との間に規定される光軸Ｏすなわち偏光ビームスプリッタ３２におけるレーザビームＬｆの反射点（反射中心）とミラー２０における反射点（反射中心）とを結ぶ軸線に対して、所定の角度だけ傾けられている。また、楕円補正プリズム３８の入射面３８ａは、半導体レーザ素子３０側から入射されるレーザビームＬｆの概ね５ないし５０％を反射するミラー面に形成されている。
【００３３】
第１のフォトディテクタ４２は、トラックずれの検出に利用されるもので、４つに分割された受光領域を有している。
また、第１のフォトディテクタ４２には、４分割フォトディテクタとは独立に、楕円補正プリズム３８の入射面３８ａで反射され、光ディスクＤの記録面からの反射レーザビームＬｒに比較して短い光路で短時間で戻されるパワーコントロール向けのレーザビーム（Ｌｆ）を受光して光電変換するモニタフォトディテクタ４４が一体に組み込まれている。
【００３４】
モニタフォトディテクタ４４は、半導体レーザ素子３０から放射されるレーザビームＬｆの光強度を一定に維持するためのオート・パワー・コントロール（以下、ＡＰＣと示す）に利用されるレーザビーム（Ｌｆ）の光強度の変化をモニタして、光強度の変動に対応する出力電流を出力する。
【００３５】
第２のフォトディテクタ４６は、対物レンズ１２と光ディスクＤの記録面とのフォーカシングを整合するための、後述するフォーカスずれ信号の検出に利用される。なお、第２のフォトディテクタ４６は、４つに分割された受光領域を有し、ホログラム回折パターンを有するホログラムプレート４８により複数のビームに分割されたレーザビームを受光して、各受光領域に対応する大きさの電流を出力する。
【００３６】
制御部８は、主制御装置としてのＣＰＵ５０、ＣＰＵ５０に接続され、ＣＰＵ５０を動作させるためのイニシャルデータが記憶されている読みだし専用メモリ（リード・オンリ・メモリ、以下ＲＯＭと示す）５２、図示しない外部装置から供給される記録すべき情報あるいは光ディスクＤから読み出されたデータなどを保持するランダム・アクセス・メモリ（以下、ＲＡＭと示す）５４およびＲＡＭ５４に入出力されるデータを一時的に記憶するバッファメモリ５６を有している。
【００３７】
ＣＰＵ５０には、半導体レーザ素子３０に所定の駆動電流を供給して所定の光強度のレーザビームＬｆを出力させるレーザ駆動回路６２、ＲＡＭ５４に記憶された記録すべき情報に対応して半導体レーザ素子３０から出射されるレーザビームＬｆの強度を変化させる記録レーザビーム発生回路６４が接続されている。なお、記録レーザビーム発生回路６４は、光ディスクＤから情報を読み出す際には、記録用のレーザビームの１／５程度の一定強度の再生用レーザビームを出射させる。
【００３８】
また、ＣＰＵ５０には、モニタフォトディテクタ４４に接続され、楕円補正プリズム３８の入射面３８ａで反射されたレーザビーム（Ｌｆ）の強度に基づいて半導体レーザ素子３０から出射されるレーザビームＬｆの強度を一定に維持するための制御量を規定するＡＰＣ（オート・パワー・コントロール）回路６６が接続されている。なお、ＡＰＣ回路６６の出力は、レーザ駆動回路６２にフィードバックされることはいうまでもない。
【００３９】
ＣＰＵ５０にはまた、第１のフォトディテクタ４２に接続され、光ディスクＤで反射された反射レーザビームＬｒを受光して光電変換して得られた電流値から求められるトラックずれ量に基づいてレンズホルダ１４ｃのトラッキングコイル１４ｆに供給する電流値を設定するトラック制御回路７０が接続されている。
【００４０】
ＣＰＵ５０にはさらに、第２のフォトディテクタ４６に接続され、光ディスクＤで反射された反射レーザビームＬｒを受光して光電変換して得られた電流値から求められるフォーカスずれ量に基づいて対物レンズ１２すなわちレンズホルダ１４ｃの位置を制御するためのフォーカスコイル１４ｅへの駆動電流の大きさを規定するフォーカス制御回路７４が接続されている。
【００４１】
ところで、光源としての半導体レーザ素子３０は、調整手段としての調整機構１００を介してレーザビーム送光／受光部６のハウジング６ａに取り付けられている。この調整機構１００は、半導体レーザ素子１００が取り付けられた支持部材１０２と、ハウジング６ａ側に固定されているとともに支持部材１０２を受け入れる固定部材１０４とを有している。
【００４２】
半導体レーザ素子３０は、図３に示した例では、Ｘ−Ｙ平面においてビーム断面を形成し、Ｚ軸方向にレーザビームを放射するものとし、半導体レーザ素子３０から放射されるレーザビームは、Ｘ軸方向を長軸とするとともにＹ軸方向を短軸とする楕円形状であるものとする。すなわち、半導体レーザ素子３０から放射されるレーザビームのＸ軸方向の放射角は、例えば２５°であり、Ｙ軸方向の放射角は、例えば１０°である。
【００４３】
このような半導体レーザ素子３０においては、必ずしも素子のリファレンス面に対して垂直な方向に光ビームを放射できるとは限らない。すなわち、半導体レーザ素子からのレーザビームは、ビーム断面において、長軸方向及び短軸方向に例えば±２°の公差をもって出射される。このため、半導体レーザ素子から出射されるレーザビームの輝度中心は、Ｚ軸に平行な光軸に対してずれが生じることがある。
【００４４】
このように、Ｘ軸方向及びＹ軸方向に±２°の公差を有するような場合、ビーム断面における短軸方向すなわちＹ軸方向の放射角が長軸方向すなわちＸ軸方向より小さいため、相対的にＹ軸方向の放射角のずれが大きくなる。
【００４５】
このため、半導体レーザ素子３０に適用される調整機構１００は、半導体レーザ素子３０が放射するレーザビームのビーム断面において、短軸方向、すなわちこの実施の形態では、Ｙ軸方向の放射角を調整する。すなわち、この調整機構１００は、Ｙ−Ｚ平面内において、回転可能に形成され、光軸すなわちＺ軸に対するＹ軸方向のずれを補正することを可能とするものである。
【００４６】
図４は、調整機構１００を構成する支持部材１０２及び固定部材１０４をＺ軸方向に分解した斜視図である。
図４に示すように、支持部材１０２は、Ｚ軸方向に凸状の円筒面１０２ａを有している。この円筒面１０２ａのＹ−Ｚ平面における断面形状は、円弧状であり、円筒面１０２ａを規定する軸線は、Ｘ軸方向に平行である。つまり、円筒面１０２ａの曲率中心Ｃは、軸線上に位置している。この円筒面１０２ａの曲率半径、すなわち軸線上の曲率中心Ｃから円筒面１０２ａまでの距離ｒ１は、例えば１０ｍｍである。
【００４７】
この支持部材１０２は、円筒面１０２ａをＺ軸方向に貫通する円形の開口部１０２ｂを有しており、この開口部１０２ｂに半導体レーザ素子３０が取り付けられている。この時、半導体レーザ素子３０は、凸状の円筒面側にレーザビームを放射するように開口部１０２ｂに装填されている。また、半導体レーザ素子３０は、放射するレーザビームのビーム断面において、長軸方向がＸ軸方向と一致するように支持部材１０２に取り付けられている。
【００４８】
このような構造の支持部材１０２を軸線を中心として回転させることにより、実質的に半導体レーザ素子３０をビーム断面における短軸方向すなわちＹ軸方向に沿って回転移動させることが可能となり、放射されるレーザビームのビーム断面における短軸方向の放射角を調整するすることが可能となる。
【００４９】
この支持部材１０２を受ける固定部材１０４は、レーザビーム送光／受光部６のハウジング６ａに固定されている。また、この固定部材１０４は、Ｚ軸方向に凹状の円筒面１０４ａを有している。この円筒面１０４ａのＹ−Ｚ平面における断面形状は、円弧状であり、円筒面１０４ａを規定する軸線は、Ｘ軸方向に平行である。つまり、円筒面１０４ａの曲率中心Ｃは、軸線上に位置している。この円筒面１０４ａの曲率半径、すなわち軸線上の曲率中心Ｃから円筒面１０４ａまでの距離は、支持部材１０２の円筒面１０２ａの曲率半径と同一のｒ１であり、この実施の形態では１０ｍｍである。
【００５０】
この固定部材１０４は、円筒面１０４ａをＺ軸方向に貫通する円形の開口部１０４ｂを有している。この開口部１０４ｂは、支持部材１０２に取り付けられている半導体レーザ素子３０から放射されるレーザビームをビームスプリッタ３２などの後段の光学系に案内するために設けられ、支持部材１０２に形成された開口部１０２ｂより大きな直径を有する。
【００５１】
このような構造の固定部材１０４の凹状の円筒面１０４ａに支持部材１０２の凸状の円筒面１０２ａを当接し、円筒面１０２ａを円筒面１０４ａに沿って摺動させることにより、支持部材１０２を円筒面１０２ａの軸線を中心として回転させることが可能となる。これにより、実質的に半導体レーザ素子３０をビーム断面における短軸方向すなわちＹ軸方向に沿って回転移動させることが可能となり、放射されるレーザビームのビーム断面における短軸方向の放射角を調整するすることが可能となる。したがって、半導体レーザ素子３０から放射されるレーザビームの短軸方向の放射角を補正することが可能となり、レーザビームの輝度中心を短軸方向において光軸すなわちＺ軸と平行にすることが可能となる。
【００５２】
図５の（ａ）及び（ｂ）は、調整機構において、支持部材の円筒面が固定部材の円筒面に当接された状態を示す図であり、（ａ）は、Ｙ−Ｚ平面における断面図であり、（ｂ）は、Ｘ−Ｙ平面における背面図である。
【００５３】
図５の（ｂ）に示したように、調整機構１００の固定部材１０４は、ネジ１０６により図示しないレーザビーム送光／受光部のハウジングに固定されている。このとき、支持部材１０２を受け入れる凹状の円筒面は、ハウジングに対して解放されている。
【００５４】
そして、図５の（ａ）に示したように、支持部材１０２に取り付けられている半導体レーザ素子３０のリファレンス面が光軸Ｏに対して垂直となるように、固定部材１０４の凹状の円筒面１０４ａに支持部材１０２の円筒面１０２ａを当接する。
【００５５】
この時、図５の（ａ）に示したように、半導体レーザ素子３０から放射されたレーザビームの輝度中心が仮に光軸Ｏに対してθのずれ角を持っていたとする。
この場合、図６の（ａ）に示すように、支持部材１０２の凸状の円筒面１０２ａ及び固定部材１０４の凹状の円筒面１０４ａの曲率中心Ｃを中心として、支持部材１０２の凸状の円筒面１０２ａを固定部材１０４の凹状の円筒面１０４ａに沿って摺動させ、支持部材１０２をθ／２だけ回転させることにより、ビーム断面における短軸方向の成分について、レーザビームの放射角を調整することが可能となり、レーザビームの輝度中心と光軸Ｏとを一致させることが可能となる。
【００５６】
このような光源の光軸調整は、例えば、半導体レーザ素子３０からレーザビームを放射させ、この放射されたレーザビームをＣＣＤカメラで撮像しながら、輝度中心を光軸Ｏに一致させるように支持部材１０２を移動させることによって達成される。
【００５７】
そして、このように光軸Ｏが調整された状態で支持部材１０２が固定部材１０４に対して接着されることにより、図６の（ａ）及び（ｂ）に示したように固定される。
【００５８】
また、図７の（ａ）及び（ｂ）に示すように、光軸Ｏが調整された状態で支持部材１０２が固定部材１０４に対してネジ止めされることにより固定されてもよい。すなわち、固定部材１０４に、あらかじめ一対のネジ穴１０４ｃを形成しておく。また、支持部材１０２における、固定部材１０４のネジ穴１０４ｃの位置に略対応する位置にネジ穴１０４ｃの径より大きい貫通穴１０２ｃをあらかじめ形成しておく。そして、光軸が調整された状態で支持部材１０２の貫通穴１０２ｃを介して固定部材１０４のネジ穴１０４ｃにネジ１１０でネジ止めすることにより、支持部材１０２が固定部材１０４に固定される。
【００５９】
上述した実施の形態では、光ヘッド装置は、光源３０をレーザビーム送光／受光部６のハウジング６ａにマウントするために、図４に示したように、光源３０を支持するとともに単一の曲率半径ｒ１の凸状の円筒面１０２ａを有する支持部材１０２と、ハウジング６ａに取り付けられているとともに支持部材１０２の曲率半径ｒ１と同一の曲率半径の凹状の円筒面１０４ａを有する固定部材１０４と、を備えている。
【００６０】
光源３０は、ビーム断面において、楕円状のレーザビームを放射するとともに、この光源３０は、ビーム断面における長軸方向と凸状の円筒面１０２ａを規定する軸線方向とが略平行となるように支持部材１０２に取り付けられている。そして、光源３０が取り付けられた支持部材１０２の円筒面１０２ａを固定部材１０４の円筒面１０４ａに当接し、軸線を中心軸として支持部材１０２を回転させることにより、光源３０から放射されるレーザビームのビーム断面における短軸方向の放射角を調整することが可能となる。
【００６１】
すなわち、光源３０をハウジング６ａにマウントする機構を、光源３０から放射されるレーザビームの短軸方向の放射角を調整する調整機構１００として適用することが可能となる。
【００６２】
このため、部品点数を増大することなく光源から放射されるレーザビームの放射角のずれを補正することが可能となり、レーザビームの輝度中心を光軸に略一致させることが可能となる。
【００６３】
これにより、光源から放射されるレーザビームにおける光ディスクに向かうビーム断面の形状を適正化することが可能となり、光ディスクに記録されている情報を正確に再生し、また光ディスクに対して情報を正確に記録することが可能となる。
【００６４】
なお、上述した実施の形態では、図４に示したように、支持部材１０２は、単一の曲率半径ｒ１の単一の円筒面１０２ａを有するように形成されたが、支持部材１０２を固定部材１０４の凹状の円筒面１０４ａに対して、摺動自在に設けることが可能であれば、単一の円筒面のみで形成する必要はない。
【００６５】
すなわち、図８に示すように、支持部材１２０は、固定部材１０４の凹状の円筒面１０４ａに接触する第１の曲率半径ｒ１の第１円筒面１２０ａと、第１の曲率半径ｒ１より小さい第２の曲率半径ｒ２の第２円筒面１２０ｃとを有するように形成されてもよい。第２円筒面１２０ｃは、第１円筒面１２０ａと同一の曲率中心Ｃを有している。
【００６６】
そして、第２円筒面１２０ｃは、図９に示すように、第１円筒面１２０ａが固定部材１０４の凹状の円筒面１０４ａに接触した際に、円筒面１０４ａから所定の間隙Ｄを形成するように、設けられている。
【００６７】
この間隙Ｄは、光源３０で発生された熱を支持部材１２０を介して固定部材１０４側に放熱するために、０．３ｍｍ以下であることが望ましい。
なお、この第２円筒面１２０ｃは、必ずしも円筒面である必要はない。すなわち、支持部材１２０の第１円筒面１２０ａが固定部材１０４の凹状の円筒面１０４ａに接触した際に、円筒面１０４ａから所定の間隙Ｄを形成できれば、平面であってもよい。
【００６８】
このような構造とすることにより、支持部材１２０の第１円筒面１２０ａにおける、固定部材１０４の凹状の円筒面１０４ａとの接触面積を小さくすることが可能となる。これにより、支持部材１２０の第１円筒面１２０ａの加工が容易となるとともに、支持部材１２０自体の加工が容易となる。
【００６９】
このような構造の支持部材１２０を適用した場合であっても、先に述べた実施の形態と同様に、部品点数を増大することなく光源から放射されるレーザビームの放射角のずれを補正することが可能となり、レーザビームの輝度中心を光軸に略一致させることが可能となる。
【００７０】
これにより、光源から放射されるレーザビームにおける光ディスクに向かうビーム断面の形状を適正化することが可能となり、光ディスクに記録されている情報を正確に再生し、また光ディスクに対して情報を正確に記録することが可能となる。
【００７１】
なお、支持部材及び固定部材の円筒面の曲率半径は、調整精度に依存して決定される。すなわち、曲率半径を大きくすることにより、より精密なずれ角を調整することが可能となる。
【００７２】
【発明の効果】
以上説明したように、この発明によれば、部品点数を増大することなく光源から放射される光ビームの放射角のずれを補正できるとともに、記録媒体に記録されている情報を正確に再生し、記録媒体に対して情報を正確に記録することが可能な光ヘッド装置及び光ヘッド装置の調整方法を提供することができる。
【図面の簡単な説明】
【図１】図１は、この発明の光ヘッド装置が利用される光ディスク装置を示す概略図である。
【図２】図２は、図１に示した光ヘッド装置のアクチェータのピックアップを説明する概略図である。
【図３】図３は、図１に示した光ディスク装置のレーザビーム送出／受光部を説明する概略図である。
【図４】図４は、光ヘッド装置に適用される光源から放射されるレーザビームの放射角の調整機構の構造を概略的に示す斜視図である。
【図５】図５の（ａ）は、図４に示した調整機構の固定部材に支持部材を当接した状態を示す断面図であり、図５の（ｂ）は、図５の（ａ）に示した状態における調整機構の背面図である。
【図６】図６の（ａ）は、図５の（ａ）に示した調整機構において放射角を調整した状態を示す断面図であり、図６の（ｂ）は、図６の（ａ）に示した状態における調整機構の背面図である。
【図７】図７の（ａ）は、調整機構において放射角を調整した状態で固定部材と支持部材とを固定した状態を示す断面図であり、図７の（ｂ）は、図７の（ａ）に示した状態における調整機構の背面図である。
【図８】図８は、図４に示した調整機構を構成する他の支持部材の構造を概略的に示す斜視図である。
【図９】図９は、図８に示した支持部材を調整機構として適用した場合の放射角を調整した状態を示す断面図である。
【符号の説明】
２  …光ディスク装置
４  …アクチェータ
６  …レーザビーム送出／受光部
６ａ…ハウジング
１２  …対物レンズ
１４  …ピックアップ
１６  …ガイドレール
１８  …キャリッジ
２０  …ミラー
３０  …半導体レーザ素子（光源）
１００…調整機構
１０２…支持部材
１０２ａ…凸状円筒面
１０４…固定部材
１０４ａ…凹状円筒面
１２０…支持部材
１２０ａ…第１円筒面
１２０ｃ…第２円筒面
【図１】
0003905966.tif 000002
【図２】
0003905966.tif 000003
【図３】
0003905966.tif 000004
【図４】
0003905966.tif 000005
【図５】
0003905966.tif 000006
【図６】
0003905966.tif 000007
【図７】
0003905966.tif 000008
【図８】
0003905966.tif 000009
【図９】
0003905966.tif 000010